(57)【要約】【課題】  タイル目地、室内等の角隅部等に存する汚れその他を簡単に除去清掃でき、また適当な長さのハンドルとの連繋によって無理な作業姿勢とならずに簡単に使用できるようにする。【解決手段】  扁平状の狭い幅員の下端面を有し、この下端面に相当する扁平な幅員の溝空間を下部に備えたベース基盤１と、このベース基盤１における溝空間内に接着剤４を介してベース基盤１に一体状に固定するブラシ部２とから成る。ブラシ部２は粉末状の研磨剤を混入した多数のフィラメント状素材３を狭い幅員で密集させて配列して形成する。またベース基盤１には、ハンドル２０を連結させる連繋体１０を連繋してあり、この連繋体１０は、ベース基盤１に固定させる固定部１１と、ハンドル２０を強制的に挿入させる筒状の挿入部１２とを一体状に形成してある。【選択図】      図１
2005270164.tif 000002
【特許請求の範囲】
【請求項１】
扁平状の狭い幅員の下端面を有し、この下端面に相当する扁平な幅員の溝空間を下部に備えたベース基盤と、このベース基盤における溝空間内にベース基盤と一体状に固定されるブラシ部とから成り、ブラシ部は粉末状の研磨剤が混入された多数の硬質性のフィラメント状素材を狭い幅員で密集させて配列形成したことを特徴とする研磨具。
【請求項２】
ブラシ部は、ベース基盤の溝空間内に接着剤を介して固定されている請求項１に記載の研磨具。
【請求項３】
ベース基盤には、ハンドルが連結される連繋体を連繋してある請求項１または２に記載の研磨具。
【請求項４】
連繋体は、ベース基盤に固定させる固定部と、ハンドルを強制的に挿入させる筒状の挿入部とを一体状に形成して成る請求項１乃至３のいずれかに記載の研磨具。
【発明の詳細な説明】
【技術分野】
【０００１】
本発明は主として浴室、台所、手洗い所等におけるタイルの目地更には室内における床面と壁面との境界のような角隅部の汚れ等を簡単に除去清掃できるようにした研磨具に関する。
【背景技術】
【０００２】
従来から例えば浴室、台所その他に配装されているタイルを清掃するには、タイルそのものを研磨するようにブラシ等で清掃しても、目地自体はタイル表面に比し奥部に位置するから目地内部に存する汚れはタイル表面を清掃するブラシによっては除去が困難である。そのため、タイルの目地に存する汚れ等を除去するには、比較的に小型のブラシを使用し、目地に沿って強く研磨することで行うことが多い。
【０００３】
こうした不便さを解消すべく例えば特許文献１にあるような目地用研磨具が提案されており、この研磨具は、薄板状の芯材に無端状の研磨布紙を回動自在に装着して成り、芯材の肉薄な縁部を覆う研磨布紙部分を目地内に位置させて芯材によって押し付けるように研磨して目地の汚れを除去するようにしたものである。
【０００４】
一方、図４に示すように、この目地用研磨具のように幅員を小さくしたベース基盤１０１端面に設けたブラシ固定穴１０３に多数のブラシ毛１０２を植設することで、ブラシ全体の幅員が目地幅に対応するように小さくすることで、また植設するブラシ毛１０２全体の先端面が先細になるように山形状に切り揃えることで、目地内部にブラシ毛１０２先端を刺し入れられるようにした目地用ブラシも提案されている。
【特許文献１】登録実用新案第３０６２９３４号
【発明の開示】
【発明が解決しようとする課題】
【０００５】
ところがこのような従来提案されている目地用の研磨具であると、特許文献１による目地用研磨具ではこの研磨具自体を手指等で直接に持って強く押し付けるようにするから、その使用には強い押し付け力が必要であるばかりでなく、研磨布紙を芯材に対して回動しながら常に新しい面を目地に宛うようにしなければならないから、面倒でもある。また植設構成のブラシ毛１０２によるブラシによると、そのブラシ毛１０２の植設構造は、ベース基盤１０１端面に設けたブラシ固定穴１０３内に二つ折り状にしたブラシ毛１０２群を強制的に挿入固定することで構成するから、ベース基盤１０１自体にある程度の幅員が必要であり、目地幅に対応するような狭い幅員のブラシ端を構成することは困難である。
【０００６】
更にはこれらの従来の研磨具では、作業者がその手指で持って目地内に研磨具を押し付けるから、その作業姿勢は屈んだものとなる等の極めて不自然な作業姿勢となることを強制するものとなり、その作業負担は大きく、特に清掃を業務とする専門作業者にとっては大きな問題でもある。
【０００７】
しかも従来の目地用の研磨具では、目地そのものを研磨するものとして専用に構成されているために、他の部位の清掃に使用することの転用は困難であり、その結果としてかえって高価なものとなり、これの業務上の使用はコスト高となるものでもあった。
【０００８】
そこで本発明は叙上のような従来存した諸事情に鑑み創出されたもので、研磨剤が混入されたフィラメント状素材をブラシ毛として幅員が小さいベース基盤端面に固定することで、その先端幅員を狭くして目地内に容易に挿入させて目地内の汚れ等を簡単に除去清掃できるようにすると共に、そのベース基盤は適当な長さのハンドルに連繋可能にして作業員が無理な作業姿勢とならなくても簡単に使用できるようにした研磨具を提供することを目的とする。
【課題を解決するための手段】
【０００９】
上述した課題を解決するため、本発明にあっては、扁平状の狭い幅員の下端面を有し、この下端面に相当する扁平な幅員の溝空間を下部に備えたベース基盤１と、このベース基盤１における溝空間内にベース基盤１と一体状に固定されるブラシ部２とから成り、ブラシ部２は粉末状の研磨剤が混入された多数の硬質性のフィラメント状素材３を狭い幅員で密集させて配列形成したものである。
そして、ブラシ部２は、ベース基盤１の溝空間内に例えば接着剤４を介して固定することができる。
ベース基盤１には、ハンドル２０が連結される連繋体１０を連繋してあり、この連繋体１０は、ベース基盤１に固定させる固定部１１と、ハンドル２０を強制的に挿入させる筒状の挿入部１２とを一体状に形成して構成することができる。
【００１０】
以上のように構成された本発明に係る研磨具にあって、扁平状の狭幅なベース基盤１の下部の溝空間内に設けられたブラシ部２のフィラメント状素材３は、幅狭な状態で密集配列されていることで、そのままで例えばタイルの狭い目地内に、あるいは室内の角隅部等の狭い被清掃面に宛われ、そこで擦過されることで、その被清掃面に存する汚れ等を除去清掃させる。
また、フィラメント状素材３は、これをベース基盤１の溝空間へは接着剤４を介して固定することで狭幅状態で密集状にして配列させ、狭幅な配列のブラシ部２構成は被清掃面に対する擦過作用を円滑にさせる。
フィラメント状素材３に混入の粉末状の研磨剤は、硬質性のフィラメント状素材３自体の先端面から露呈されていることで、被清掃面に宛われたとき、被清掃面に撓曲されることなく突き当て状となり、被清掃面に存する汚れ等を剥離、除去させる。
ベース基盤１に固定した連繋体１０を介した適当長さのハンドル２０の連繋は、清掃作業者の作業時の作業姿勢を無理がない状態にさせ、作業能率を向上させる。
【発明の効果】
【００１１】
以上のように構成された本発明に係る研磨具によれば、タイル目地等の狭幅な部位、床面と壁面との境界のような室内の狭い角隅部等に存する汚れ等を簡単に除去清掃できるのであり、またその清掃作業に際し無理な作業姿勢を強いることもないから、作業を能率的に遂行できるものである。
【００１２】
すなわちこれは本発明において、扁平状の狭い幅員の下端面に相当する扁平な幅員の溝空間を下部に備えたベース基盤１と、このベース基盤１の溝空間内に例えば接着剤４を介して固定されるブラシ部２とから成り、ブラシ部２は粉末状の研磨剤が混入された多数の硬質性のフィラメント状素材３を狭い幅員で密集させて配列形成したからであり、これによって、細い幅員で配列された多数のフィラメント状素材３によって、例えば狭い幅員のタイル目地、室内の角隅部等の狭い部位を簡単に清掃できるのである。
【００１３】
また、フィラメント状素材３には粉末状の研磨剤が混入されているから、この混入された研磨剤はフィラメント状素材３の先端面から露呈されるものとなり、これが被清掃面に宛われたとき、その擦過作用で被清掃面の汚れ等を剥離、除去するのであり、従来であれば面倒であったタイル目地等の汚れを簡単に除去できるのである。
【００１４】
ブラシ部２のフィラメント状素材３は、接着剤４を介してベース基盤１の溝空間内に固定することにより、溝空間が狭い幅員であっても密集させた状態で配列固定でき、その固定は強固でしっかりとしたものとなるから、被清掃面に宛い擦過するように使用しても脱落、抜落することがない。
【００１５】
更に、ベース基盤１には、ハンドル２０が連結される連繋体１０を連繋してあるから、適当な長さのハンドル２０を連結することで清掃作業者は例えば立ち姿勢の儘で屈むことなく使用でき、清掃作業を一層能率的に遂行できるのである。しかも、この連繋体１０は、ベース基盤１に固定させる固定部１１と、ハンドル２０を強制的に挿入させる筒状の挿入部１２とを一体状に形成してあるので、ベース基盤１との連繋あるいは分離は挿入部１２に対する強制的な挿入あるいはそれからの抜去によって簡単に行うことができるから、極めて便利である。
【００１６】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１７】
以下図面を参照して本発明を実施するための最良の一形態を説明すると、図において示される符号１は作業員の手指で握持できる程度の大きさで扁平状に形成されたベース基盤である。このベース基盤１は例えば肉厚が１〜２ｍｍ程度の例えば合成樹脂材製の一対の板材を、下部において例えば２〜５ｍｍ程度の間隔を設定することでベース板を介在させて対峙状に配置構成し、その下部における空間隔は側面から見て下方が開口されたコ字状を呈し、ベース基盤１自体の下部面と同様な扁平な幅員を有する溝空間となっており、この下部の溝空間に後述するブラシ部２が構成される。ベース基盤１自体は左右部分に比し中央部分が高くなるように正面から見てほぼ山形状を呈し、その中央部分の頂部には後述するハンドル２０と着脱自在に連繋するための連繋体１０を設けてある。
【００１８】
そしてこのベース基盤１の下端にはブラシ部２がベース基盤１と一体状にして形成されており、このブラシ部２は、研磨剤が混入された多数の硬質性のフィラメント状素材３を植設状に配列形成して成り、正面から見て広幅であっても、側面から見て幅狭に形成されているものである。フィラメント状素材３自体は、例えばガラス材、砥石材、貝殻材その他の有機質、無機質の硬質材料を粉末化して成る研磨剤を、耐熱性、耐酸性、耐アルカリ性等に優れている熱可塑性の合成樹脂材に混入し、径が例えば１乃至２ｍｍ程度の線状材として形成したものであり、図示のようにフィラメント状素材３自体はジグザグな波形状に屈曲形成されている。もとより、研磨剤自体は上述した素材に限定されず、この研磨剤が混入される合成樹脂材の素材も特に限定されず、フィラメント状素材３自体の先端が被清掃面に突き当て状にされたとき、フィラメント状素材３自体は容易に撓曲しない程度の剛性を備えると共に、突き当て状態を維持したままで被清掃面に当接しているものとされる。また、突き当てられるフィラメント状素材３先端には研磨剤が露呈し、その擦過によって被清掃面に存する汚れ等を剥離、除去できるようにしてある。
【００１９】
このフィラメント状素材３のベース基盤１に対する固定は、図２に示すようにベース基盤１における溝空間の奥部に配した例えば接着剤４によって、この接着剤４の凝固に伴い接着固定することで行われる。すなわち溝空間の奥部に注入した接着剤４が凝固する前に多数のフィラメント状素材３を接着剤４中に浸積するようにして挿入するのであり、接着剤４の凝固によってフィラメント状素材３はベース基盤１に一体状に固定連結され、必要に応じて溝空間の端部であるベース基盤１の側縁部には接着剤４面を覆う覆い片５を固着する。なお、フィラメント状素材３は相互間で隙間がなく互いに密着してあたかも群生状態で、側面から見て狭い幅員のものとなるようにしてあり、望ましくは密集配置されるようにしてあるものである。
【００２０】
また、ブラシ部２とベース基盤１との固定は、上述したように接着剤４によらずに、溶着によって固定することもでき、更には溝空間を形成する側壁５によって強く挟持することで固定することもでき、その固定手段は特に限定されるものではない。
【００２１】
またベース基盤１の上部には連繋体１０が設けられており、この連繋体１０は図示のように、ベース基盤１に固定させるべくベース基盤１の上部を挟み込み、ネジ止めする二股状の固定部１１と、ハンドル２０を強制的に挿入させる筒状の挿入部１２とを一体状に形成して成る。固定部１１によってベース基盤１上部に対して固定するに際し、必要があれば連繋体１０自体がベース基盤１に対してネジ止め部位を支点として揺動可能なようにすることで、ハンドル２０との連繋状態時にハンドル２０に対して自由な連繋角度で、すなわちいわゆる首振り状態で使用させるようにすることもできる。
【００２２】
この連繋体１０の挿入部１２に挿入されることでベース基盤１に連繋されるハンドル２０は、例えば１５０〜２００ｃｍ程度の長さを有する棒状材、パイプ材等のものであり、このハンドル２０にベース基盤１を連繋したときに、例えば清掃作業員が立ち姿勢の儘で被清掃面を清掃できるものとしてある。そしてこのハンドル２０の先端部は、先端の径は連繋体１０の挿入部１２における内径に比し小さく、後端側では挿入部１２の径に比しやや大径となる程度で、先端に至るに伴い次第に細径となるようにしてあって、挿入部１２に強制的に挿入することで連結できるようにしてある。もとより、このハンドル２０は短く形成することも可能であり、それは任意に選定でき、また連繋体１０との連結構成も図示例の強制挿入式のものに限定されるものではない。
【００２３】
次にこれの使用例を説明するに、図３に示すようにハンドル２０を連繋体１０を介してベース基盤１に固定連繋し、ハンドル２０を持ってベース基盤１のブラシ部２先端を例えば床タイルの目地部分に宛い、ブラシ部２の長手方向を目地方向に沿わせて研磨する。あるいは図示を省略したが、ハンドル２０を使用せずに、ベース基盤１を直接に手指で握持し、ブラシ部２先端を被清掃面に宛い、研磨するのである。なお、ハンドル２０の連繋体１０からの抜去は強制的に引き抜けばよいのである。
【００２４】
また、被清掃面はタイルの目地部分に限らず、例えば床面と壁面との境界である角隅部とすることもでき、従来であれば床磨き機によっては清掃困難で、作業員が屈んだ姿勢で再度清掃していたのを、本発明に係る研磨具をハンドル２０と共に使用することにより立ち姿勢の儘で簡単に清掃でき、汚れ等を除去可能なものとする。
【図面の簡単な説明】
【００２５】
【図１】本発明を実施するための最良の形態を示す分解斜視図である。
【図２】同じく断面図である。
【図３】同じく使用状態の斜視図である。
【図４】従来例の要部切欠斜視図である。
【符号の説明】
【００２６】
１…ベース基盤                          ２…ブラシ部
３…フィラメント状素材                  ４…接着剤
５…覆い片
１０…連繋体                            １１…固定部
１２…挿入部
２０…ハンドル
１０１…ベース基盤                      １０２…ブラシ毛
１０３…ブラシ固定穴
【図１】
2005270164.tif 000003
【図２】
2005270164.tif 000004
【図３】
2005270164.tif 000005
【図４】
2005270164.tif 000006